(57)【特許請求の範囲】
【請求項１】
画面を表示する操作パネルを有した画像形成装置であって、
第１グループに分類された複数の第１設定項目にそれぞれ対応する複数の第１項目キーを有した第１の項目選択画面を、表示中の画面に代えて前記操作パネルに表示させる第１表示処理部と、
前記複数の第１項目キーのいずれかを選択する操作に呼応して、選択された第１項目キーに対応する第１設定項目の設定のための設定操作画面を、前記第１の項目選択画面に代えて前記操作パネルに表示させる第２表示処理部と、
第２グループに分類された複数の第２設定項目にそれぞれ対応する複数の第２項目キーが一列に並んだキー配列のうちの一部分を有する第２の項目選択画面を、表示中の画面に代えて前記操作パネルに表示させ、かつスクロール操作に呼応して前記キー配列における表示する部分を変更するスクロール表示処理部と、
前記設定操作画面が表示されかつ前記設定操作画面において設定を変更する操作が行われないまま、前記第２の項目選択画面を表示させる操作が行われたときに、第１設定項目と第２設定項目との関連を定める第１情報によって前記設定操作画面に関連づけられている第２項目キーを含むように前記キー配列における表示する部分を設定して前記第２の項目選択画面を前記操作パネルに表示させる処理を、前記スクロール表示処理部に実行させるスクロール指示部と、を備える
ことを特徴とする画像形成装置。
【請求項２】
前記設定操作画面が表示されかつ前記設定操作画面において設定を変更する操作が行われないまま、前記設定操作画面から前記第１の項目選択画面へ表示を戻す操作が行われたときに、前記選択された第１項目キーに対応する第１設定項目に関連する他の設定項目を探しているかどうかをユーザーに問うメッセージ画面を前記操作パネルに表示させるメッセージ表示部をさらに備え、
前記スクロール指示部は、前記メッセージ画面が表示された状態で前記他の設定項目を探している旨を示す操作が行われたときに、前記第１情報によって前記設定操作画面に関連づけられている第２項目キーを含むように前記キー配列における表示する部分を設定して前記第２の項目選択画面を前記操作パネルに表示させる処理を、前記スクロール表示処理部に実行させる
請求項１記載の画像形成装置。
【請求項３】
前記スクロール指示部は、前記設定操作画面が表示されかつ前記設定操作画面において設定を変更する操作が行われ、続いて、前記第２の項目選択画面を表示させる操作が行われたときに、前記第１情報とは別途に第１設定項目と第２設定項目との関連を定めた第２情報によって前記設定操作画面に関連づけられている第２項目キーを含むように前記キー配列における表示する部分を設定して前記第２の項目選択画面を前記操作パネルに表示させる処理を、前記スクロール表示処理部に実行させる
請求項１また２記載の画像形成装置。
【請求項４】
前記スクロール表示処理部は、前記スクロール指示部からの指示に呼応して、前記キー配列における表示する部分の初期値として定められている部分を表示させた後、前記第１情報によって前記設定操作画面に関連づけられている第２項目キーが表示されるまで前記キー配列をスクロールする
請求項１ないし３記載の画像形成装置。
【請求項５】
第１設定項目の設定との組合せ設定が禁止されている第２設定項目に対応した第２項目キーを選択する操作が行われたときに、設定操作が禁止されていることを示す操作案内画面を前記操作パネルに表示させる案内表示部をさらに備え、
前記スクロール指示部は、前記操作案内画面が表示された後に、設定操作の禁止が解除されるように前記第１設定項目について設定状態を変更する操作が行われ、さらにその後に前記第２の項目選択画面を表示させる操作が行われたときに、組合せ設定が禁止されていた前記第２設定項目に対応する第２項目キーを含むように前記キー配列における表示する部分を設定して前記第２の項目選択画面を前記操作パネルに表示させる処理を、前記スクロール表示処理部に実行させる
請求項１ないし４のいずれかに記載の画像形成装置。
【請求項６】
操作の履歴を記録する記録部と、
記録された履歴に基づいて、複数の第２設定項目が関連づけの選択肢となる第１設定項目について、操作の頻度の高い第２設定項目を優先的に関連づけるように前記第１情報を更新する情報管理部と、をさらに備える
請求項１または２記載の画像形成装置。
【請求項７】
操作の履歴を記録する記録部と、
記録された履歴に基づいて、複数の第２設定項目が関連づけの選択肢となる第１設定項目について、操作の頻度の高い第２設定項目を優先的に関連づけるように前記第１情報および前記第２情報をそれぞれ更新する情報管理部と、をさらに備える
請求項１ないし５のいずれかに記載の画像形成装置。
【請求項８】
画面を表示する操作パネルを有した画像形成装置であって、
第１グループに分類された複数の第１設定項目にそれぞれ対応する複数の第１項目キーを有した第１の項目選択画面を、表示中の画面に代えて前記操作パネルに表示させる第１表示処理部と、
前記複数の第１項目キーのいずれかを選択する操作に呼応して、選択された第１項目キーに対応する第１設定項目の設定のための設定操作画面を、前記第１の項目選択画面に代えて前記操作パネルに表示させる第２表示処理部と、
第２グループに分類された複数の第２設定項目にそれぞれ対応する複数の第２項目キーが一列に並んだキー配列のうちの一部分を有する第２の項目選択画面を、表示中の画面に代えて前記操作パネルに表示させ、かつスクロール操作に呼応して前記キー配列における表示する部分を変更するスクロール表示処理部と、
前記設定操作画面が表示されかつ前記設定操作画面において設定を変更する操作が行われないまま、前記設定操作画面から前記第１の項目選択画面へ表示を戻す操作が行われたときに、前記選択された第１項目キーに対応する第１設定項目に関連する他の設定項目を探しているかどうかをユーザーに問うメッセージ画面を前記操作パネルに表示させるメッセージ表示部と、
前記メッセージ画面が表示された状態で前記他の設定項目を探している旨を示す操作が行われたときに、第１設定項目と第２設定項目との関連を定める第１情報によって前記設定操作画面に関連づけられている第２項目キーを含むように前記キー配列における表示する部分を設定して前記第２の項目選択画面を前記操作パネルに表示させる処理を、前記スクロール表示処理部に実行させるスクロール指示部と、を備える
ことを特徴とする画像形成装置。
【請求項９】
画面を表示する操作パネルを有した画像形成装置において実行されるコンピュータプログラムであって、
前記画像形成装置に備わるコンピュータによって実行されたときに、
第１グループに分類された複数の第１設定項目にそれぞれ対応する複数の第１項目キーを有した第１の項目選択画面を、表示中の画面に代えて前記操作パネルに表示させる第１表示処理部と、
前記複数の第１項目キーのいずれかを選択する操作に呼応して、選択された第１項目キーに対応する第１設定項目の設定のための設定操作画面を、前記第１の項目選択画面に代えて前記操作パネルに表示させる第２表示処理部と、
第２グループに分類された複数の第２設定項目にそれぞれ対応する複数の第２項目キーが一列に並んだキー配列のうちの一部分を有する第２の項目選択画面を、表示中の画面に代えて前記操作パネルに表示させ、かつスクロール操作に呼応して前記キー配列における表示する部分を変更するスクロール表示処理部と、
前記設定操作画面が表示されかつ前記設定操作画面において設定を変更する操作が行われないまま、前記第２の項目選択画面を表示させる操作が行われたときに、第１設定項目と第２設定項目との関連を定める第１情報によって前記設定操作画面に関連づけられている第２項目キーを含むように前記キー配列における表示する部分を設定して前記第２の項目選択画面を前記操作パネルに表示させる処理を、前記スクロール表示処理部に実行させるスクロール指示部とを、前記コンピュータに実現させる
ことを特徴とするコンピュータプログラム。
【発明の詳細な説明】
【技術分野】
【０００１】
本発明は、操作画面を表示する画像形成装置および画像形成装置において実行されるコンピュータプログラムに関する。画像形成装置には、プリンタ、複写機、およびＭＦＰ（Multifunction Peripheral）が含まれる。
【背景技術】
【０００２】
近年の多機能化した画像形成装置は、操作のためのマンマシンインタフェースとしてタッチパネルを備えている。ここでいうタッチパネルは、画面表示の可能なディスプレイとタッチ式ポインティングデバイスとを組み合わせた操作入力装置である。タッチパネルの前面は表示面とタッチ入力面とを兼ねている。タッチパネルにおいて、多様な動作設定を可能にするために用意された複数の操作画面がユーザーによる操作に応じて選択的に表示される。
【０００３】
一般に、複数の操作画面は階層化されており、各操作画面に配置する操作キーおよび各操作画面の階層順位がユーザーの使い勝手が良いように選定されている。動作設定の項目は例えば大中小というように体系的に分類され、大項目の選択や指定のための操作画面が階層の上位に配置され、より小さい項目の選択や指定のための操作画面がより下位に配置される。そして、操作画面の表示は上位から下位へと切り替えられる。ユーザーは、上位の操作画面で適切に操作することにより、所望の下位の操作画面を表示させることができる。
【０００４】
操作画面の表示制御に関して、操作キーと操作画面との関係を動的に変更する技術がある。例えば、特許文献１には、ユーザー認証で識別されるユーザーごとに機能の使用頻度を管理し、使用頻度の高い機能の操作キーを上位層の画面に配置することが記載されている。
【０００５】
一方、ディスプレイサイズの制約に因り一斉に表示することができない多数の操作キーをスクロール表示するＧＵＩ(Graphical User Interface）が知られている。特許文献２に記載された携帯型ゲーム装置では、選択可能な複数のプログラムに対応するアイコン列を表示する左右方向に細長いスクロール領域４８が画面内に設けられる。このゲーム装置のユーザーは、スクロール領域４８内の任意の点にタッチしてから、タッチ位置を水平方向にずらすことによって、アイコン列をスクロールさせることができる。
【特許文献１】特開２００８−０８３５５９号公報
【特許文献２】特開２００９−２７１９０２号公報
【発明の概要】
【発明が解決しようとする課題】
【０００６】
順々により詳細な設定をする操作手順の上で上位となる設定項目（例えば大中小の階層化の大項目）が多数である場合、スクロール表示が有用である。多数の設定項目に対応する多数の操作キーを所定数ずつ表示する一般的な画面切替え表示と比べて、スクロール表示はユーザーからみた所望の操作キーの見つけ易さの点で優れている。ただし、必ずしも表示すべき操作キーの全てをスクロールの対象とする必要はない。
【０００７】
多数の設定項目をそれらに対応する操作キーをスクロールの対象外とする第１グループとスクロールの対象とする第２グループとに分類することが考えられる。例えば、ユーザーが頻繁に設定する設定項目を第１グループとし、他の設定項目を第２グループとする。第１グループについてはディスプレイサイズで決まる項目数の制限があるが、一度に表示し切れなくてもよい第２グループについてはディスプレイサイズに因る項目数の制限はない。設定項目のグループ分けは、ユーザーが所望の設定を行う上で表示させる必要のない操作キーまでも表示させてしまう無駄な操作を低減するのに寄与する。
【０００８】
スクロール領域を有する操作画面が他の画面から切り替わって表示されるとき、スクロール位置が例えばスクロール範囲の一端といった特定の位置に固定されていると、ユーザーが操作したいと思う操作キーが表示されない場合が生じる。この場合、ユーザーはスクロール操作をして所望の操作キーを表示させなければならない。
【０００９】
本発明は、このような事情に鑑み、ユーザーがスクロール操作をする手間を低減することのできる新規のユーザーインタフェースを提供することを目的としている。
【課題を解決するための手段】
【００１０】
上記目的を達成する装置は、画面を表示する操作パネルを有した画像形成装置であって、第１グループに分類された複数の第１設定項目にそれぞれ対応する複数の第１項目キーを有した第１の項目選択画面を、表示中の画面に代えて前記操作パネルに表示させる第１表示処理部と、前記複数の第１項目キーのいずれかを選択する操作に呼応して、選択された第１項目キーに対応する第１設定項目の設定のための設定操作画面を、前記第１の項目選択画面に代えて前記操作パネルに表示させる第２表示処理部と、第２グループに分類された複数の第２設定項目にそれぞれ対応する複数の第２項目キーが一列に並んだキー配列のうちの一部分を有する第２の項目選択画面を、表示中の画面に代えて前記操作パネルに表示させ、かつスクロール操作に呼応して前記キー配列における表示する部分を変更するスクロール表示処理部と、前記設定操作画面が表示されかつ前記設定操作画面において設定を変更する操作が行われないまま、前記第２の項目選択画面を表示させる操作が行われたときに、第１設定項目と第２設定項目との関連を定める第１情報によって前記設定操作画面に関連づけられている第２項目キーを含むように前記キー配列における表示する部分を設定して前記第２の項目選択画面を前記操作パネルに表示させる処理を、前記スクロール表示処理部に実行させるスクロール指示部と、を備える。
【発明の効果】
【００１１】
本発明によれば、第１設定項目の設定のための設定操作画面において設定を変更する操作が行われないまま、スクロール領域を有する第２の項目選択画面を表示させる操作が行われたときに、当該第１設定項目に関連づけられている第２設定項目に対応する第２項目キーが表示されるようにスクロール位置が自動設定され、それによってユーザーのスクロール操作をする手間が低減される。
【図面の簡単な説明】
【００１２】
【図１】ＭＦＰの外観の一例を示す図である。
【図２】ＭＦＰのハードウェア構成を示す図である。
【図３】コピー動作に関わる操作画面の画面レイアウトを示す図である。
【図４】第１グループである基本グループの設定項目を選択するための項目選択画面の例を示す図である。
【図５】第２グループである応用グループの設定項目を選択するための項目選択画面の例を示す図である。
【図６】ＭＦＰに備わる制御回路の画面表示に関わる機能構成を示す図である。
【図７】実施例１の画面表示制御に関わる関連テーブルの内容の一例を示す図である。
【図８】実施例１に係る画面遷移の一例を示す図である。
【図９】実施例１に係る画面遷移の一例を示す図である。
【図１０】実施例１の画面表示制御のフローチャートである。
【図１１】実施例２の画面表示制御に関わる関連テーブルの内容の一例を示す図である。
【図１２】実施例２に係る画面遷移の一例を示す図である。
【図１３】実施例２の画面表示制御のフローチャートである。
【図１４】実施例３に係る画面遷移の一例を示す図である。
【図１５】実施例３に係る画面遷移の一例を示す図である。
【図１６】実施例４に係る画面遷移の一例を示す図である。
【図１７】実施例５に係る画面遷移の一例を示す図である。
【図１８】画面遷移の変形例を示す図である。
【発明を実施するための形態】
【００１３】
操作画面を表示する操作パネルを備える画像形成装置の例としてＭＦＰを挙げる。ＭＦＰは、画像形成装置としての機能であるコピーおよびネットワークプリンティングに加えて、イメージ入力（スキャニング）、ファクシミリ通信、電子メール送受信、ドキュメントの保存などの多数の機能を有した情報機器である。
【００１４】
図１に例示されるＭＦＰ１のユーザーは、ＭＦＰ１の上部に設けられた操作パネル１０を用いて、機能の選択や動作の設定を行うことができる。操作パネル１０は、種々の操作画面を表示するタッチパネル１０１、テンキーを含む複数の固定キー、および生体認証デバイスを有する。
【００１５】
ＭＦＰ１のハードウェア構成が図２に示される。
【００１６】
操作パネル１０のタッチパネル１０１は、操作画面を表示するディスプレイ１０１Ａとその表示面に密着する透光性のタッチ入力デバイス１０１Ｂとを備える。タッチパネル１０１の前面は表示面とタッチ操作面とを兼ねる。生体認証デバイス１０２は例えば指紋センサーである。静脈、虹彩、声紋など他の生態情報による認証を行うようにしてもよい。
【００１７】
ＭＦＰ１の全体の制御を受け持つ制御回路１１は、制御プログラムを記憶するＲＯＭ（Read Only Memory）１１２、制御プログラムやアプリケーションを実行するコンピュータとしてのＣＰＵ（central processing unit）１１３、プログラム実行のワークエリアとされるＳ−ＲＡＭ（Static Random Access Memory）１１５、各種の設定を記憶するバッテリバックアップされたＮＶ−ＲＡＭ（不揮発性メモリ）１１６、およびシステム時刻を計時する時計ＩＣ(Integrated Circuit)１１８を有する。
【００１８】
イメージスキャナ１３は、読取り位置にセットされた原稿シートに記録されている画像情報を光学的に読み取る。プリンタコントローラ１４は、印刷のための種々の制御処理を担う。プリンタコントローラ１４に備わるＲＩＰ(Raster Image Processor)回路１４１は、外部機器から受信したＰＤＬ(Page Description Language)データを解析し、印刷対象データをビットマップ用メモリ上に展開する。プリンタエンジン１５は、多段形式の用紙ストッカ１６から供給される用紙の片面または両面にモノクロまたはカラーの画像を印刷する。フィニッシャー１７は、印刷後の用紙を二つ折りにしたりステープルで綴じたりする仕上げ加工に用いられる。ネットワークインタフェース１８はＭＦＰ１をネットワーク４に接続し、ＭＦＰ１と外部とのＬＡＮ通信およびファクシミリ通信を可能にする。ストレージ１９はハードディスクドライブ（ＨＤＤ）のような大容量記憶デバイスである。ストレージ１９には、操作画面の表示のための画像情報を含む制御データを記憶するメモリ領域とともに、各種ドキュメントのファイルを保存するメモリ領域（いわゆるボックス）が設けられる。
【００１９】
このようなＭＦＰ１を操作するユーザーには、以下の画面表示制御によるグラフィカルユーザーインタフェース（ＧＵＩ）が提供される。
【００２０】
図３はコピー動作に関わる操作画面Ｑの画面レイアウトを示す。操作画面Ｑはディスプレイの表示面ＤＳのほぼ全域にわたる画像である。操作画面Ｑのほぼ上半分が、操作に応じて表示内容を動的に変更する可変表示領域３０に割り当てられている。操作画面Ｑの左下部分に設定項目のグループを選択するための項目グループキー３５，３６，３７が配置され、操作画面Ｑの右下部分にコピー動作を開始させるためのスタートキー３１が配置される。
【００２１】
ＭＦＰ１において、コピー動作に関わる設定項目は、第１グループとしての基本グループと第２グループとしての応用グループとに大別されている。基本グループは、多種多様なコピー動作の多くに関係する基本的な項目のグループであり、基本グループに分類される項目（以下、“基本項目”という）は設定変更の頻度が比較的に高い項目である。本例では基本グループはさらに「基本１」および「基本２」の二つのサブグループに細分化されている。以下において、基本項目のうち、基本１サブグループに属する項目と基本２サブグループに属する項目とを区別する必要があるときは、前者を“基本１項目”といい、後者を“基本２項目”という。応用グループは、基本項目以外の項目（以下、“応用項目”という）が属するグループである。基本１サブグループに項目グループキー３５が対応し、基本２サブグループに項目グループキー３６が対応し、応用グループに項目グループキー３７が対応する。グループ分けに関しては、応用グループを複数のサブグループに細分化し、各サブグループを選択するためのキーを設けてもよい。ユーザーがどの設定項目を基本項目とし残りを応用項目とするかのカスタマイズをすることができるようにしてもよい。
【００２２】
図４は基本項目を選択するための項目選択画面の例を示す。図４の項目選択画面Ｑ３５は、コピー動作モードの初期画面であり、ユーザー認証が完了したとき、ユーザー認証を省略する運用において待機状態になったとき、または項目グループキー３５を押下するタッチ操作があったときに表示される。項目選択画面Ｑ３５において、可変表示領域３０には、基本１項目に対応した５個の項目キー５１，５２，５３，５４，５５が横一列に並べて配置される。そして、三つの項目グループキー３５，３６，３７のうちの選択された基本１サブグループに対応する項目グループキー３５が他の二つと区別するように強調される。図示では白黒反転によって強調されている。
【００２３】
各項目キー５１〜５５は、対応する設定項目を表すシンボル図形が描かれた機能バッジと呼ばれるアイコンである。例示における基本１項目は「原稿画質」「カラー」「濃度」「用紙」「倍率」である。各項目キー５１〜５５の下に、対応する項目名を示す文字列が表示される。項目キー５１〜５５のいずれかをユーザーがタッチ操作によって選択すると、選択された基本１項目についての設定のための操作画面が、後述のように項目選択画面Ｑ３５に代えて表示される。
【００２４】
なお、基本１項目がどのような設定を行う項目であるかは画面表示制御に直接には関係しないので、基本１項目の設定内容の説明を省略する。他の設定項目についても同様である。
【００２５】
図５は応用グループの設定項目を選択するための項目選択画面の例を示す。図５の項目選択画面Ｑ３７は、例えば項目グループキー３７を押下するタッチ操作があったときに表示される。応用グループが選択されていること示すため、三つの項目グループキー３５，３６，３７のうちの項目グループキー３７が他の二つと区別するように強調される。
【００２６】
項目選択画面Ｑ３７において、可変表示領域３０はスクロール表示領域とされる。可変表示領域３０には、応用グループに分類された設定項目にそれぞれ対応する複数の項目キー６１，６２，６３，６４，６６，…８６が一列に並んだキー配列５０のうちの一部分が表示される。このキー配列５０における表示される部分は５個の項目キーに対応する長さをもつ。項目選択画面Ｑ３７では、キー配列５０における左端部分に該当する５個の項目キー６１〜６５が表示される。キー配列５０の左端部分は表示する部分の初期値として定められている部分である。
【００２７】
スクロール操作のための要素として、可変表示領域３０の下端部に、スクロールバー９５およびスライダ（カーソルとも呼ばれる）９６が表示される。スライダ９６はスクロールバー９５に沿って左右に移動する。スクロールバー９５とスライダ９６との長さの比率は、項目選択画面Ｑ３７の内外に跨るキー配列５０とキー配列５０のうちの表示される部分との長さの比率とほぼ等しい。スクロールバー９５とスライダ９６とによって、キー配列５０のどの部分が表示されているかが示される。
【００２８】
ユーザーはスライダ９６にタッチして右方または左方にドラッグすることにより、キー配列５０の所望の部分を表示させることができる。スライダ９６を右方にドラッグすればキー配列５０は左方へ移動し、スライダ９６を左方にドラッグすればキー配列５０は右方へ移動する。ただし、図示の項目選択画面Ｑ３７の状態はキー配列５０が左方へ移動し切った状態であるので、項目選択画面Ｑ３７ではキー配列５０を右方へのみ移動させることができる。
【００２９】
また、本実施形態では、キー配列５０自体をドラッグまたはスライド（速く短くドラッグして離す操作）により移動させることができる。キー配列５０にタッチするスクロール操作では、スライダ９６による操作とは違って、キー配列５０はドラッグ方向と同じ方向に移動する。
【００３０】
図６は制御回路１１における画面表示に関わる機能構成を示す。制御回路１１は、入力処理部２０１、画面表示部２０２、スクロール指示部２０３、記録部２０４、および情報管理部２０５を有する。これら要素は、ＣＰＵ１１３が所定の制御用コンピュータプログラムを実行することによって実現される機能要素である。
【００３１】
入力処理部２０１は、タッチ入力デバイス１０１Ｂの出力するタッチ入力信号に基づいて、タッチパネル１０１による操作の内容を解析し、操作内容を他の所定の機能要素に伝える。解析において、表示面を指（タッチペンまたはそれに類似するツールを用いてもよい）で押下するタッチ、押下した指を表示面から離すタッチ解除、および押下したまま表示面をなぞるように指を移動させるドラッグが判別される。
【００３２】
画面表示部２０２は、入力処理部２０１によって解析された操作に応じて、ディスプレイ１０１Ａによって表示される操作画面を切替える。各種の操作画面を表示するための画像データＤ１０は、ＲＯＭ１１２、ＮＶ−ＲＡＭ１１６またはストレージ１９に格納されている図示しない表示用データに含まれている。画面表示部２０２は、それぞれが所定の操作画面の表示処理を受け持つ六つの構成要素（符号２２１〜２２６が付されている）を有する。
【００３３】
画面表示部２０２の一つ目の構成要素である第１表示処理部２２１は、第１グループである基本グループに分類された基本項目を選択するための項目選択画面の表示処理を受け持つ。詳しくは、第１表示処理部２２１は、例えば項目グループキー３５の操作に呼応して、表示中の画面に代えて上述の項目選択画面Ｑ３５をディスプレイ１０１Ａに表示させる。また、第１表示処理部２２１は、例えば項目グループキー３６の操作に呼応して、基本１項目にそれぞれ対応する５個の項目キーを有した項目選択画面Ｑ３６（図９（Ｂ）参照）を、表示中の画面に代えてディスプレイ１０１Ａに表示させる。
【００３４】
画面表示部２０２の二つ目の構成要素である第２表示処理部２２２は、基本１項目と基本２項目を合わせた計１０個の基本項目についての設定のための設定操作画面の表示処理を受け持つ。詳しくは、第２表示処理部２２２は、項目選択画面Ｑ３５または項目選択画面Ｑ３６において５個の項目キーのいずれかを選択する操作に呼応して、選択された項目キーに対応する設定操作画面を表示中の項目選択画面Ｑ３５または項目選択画面Ｑ３６に代えてディスプレイ１０１Ａに表示させる。
【００３５】
画面表示部２０２の三つ目の構成要素であるスクロール表示処理部２２３は、第２グループである応用グループに分類された応用項目を選択するための項目選択画面の表示処理を受け持つ。詳しくは、スクロール表示処理部２２３は、例えば項目グループキー３７の操作に呼応して、上述のキー配列５０のうちの一部分を表示するスクロール領域を有した項目選択画面（その一つが上述の項目選択画面Ｑ３７）を、表示中の画面に代えてディスプレイ１０１Ａに表示させる。加えて、スクロール表示処理部２２３は、例えば、スライダ９６をドラッグするスクロール操作に呼応してキー配列５０における表示する部分を変更する。すなわち、キー配列５０をスクロールさせる。
【００３６】
画面表示部２０２の四つ目の構成要素であるメッセージ表示部２２４は、メッセージ画面の表示処理を受け持つ。詳しくは、メッセージ表示部２２４は、基本グループに関わる設定操作画面が表示されかつその設定操作画面において設定を変更する操作が行われないまま、設定操作画面から基本項目についての項目選択画面へ表示を戻す操作が行われたときに、設定操作画面に対応する基本項目に関連する他の設定項目を探しているかどうかをユーザーに問うメッセージ画面Ｑ５６ｂ（図１７（Ｂ）参照）をディスプレイ１０１Ａに表示させる。
【００３７】
画面表示部２０２の五つ目の構成要素である案内表示部２２５は、操作案内画面の表示処理を受け持つ。詳しくは、案内表示部２２５は、基本項目の設定との組合せ設定が禁止されている応用項目に対応した項目キーを選択する操作が行われたときに、設定操作が禁止されていることを示す操作案内画面Ｑ３７ｅ（図１４（Ｂ）参照）をディスプレイ１０１Ａに表示させる
そして、画面表示部２０２の六つ目の構成要素であるその他の表示部２２６は、応用項目についての設定のための図示しない設定操作画面およびその他の画面の表示処理を受け持つ。スクロール表示処理部２２３によって表示された項目選択画面において項目キーが選択されたとき、その他の表示部２２６は、選択された項目キーに対応する設定操作画面を表示中の画面に代えてディスプレイ１０１Ａに表示させる。
【００３８】
このような画面表示部２０２に対して、スクロール指示部２０２からスクロールに関する指示が与えられる。スクロール指示部２０２は、第２表示処理部２２２によって基本グループに関わる設定操作画面が表示されかつその設定操作画面において設定を変更する操作が行われないまま、スクロール領域を有した応用項目についての項目選択画面を表示させる操作が行われたときに、ユーザーを支援する表示処理をスクロール表示処理部２２３に実行させる。その表示処理とは、各基本項目についてそれに関連する応用項目を定める関連情報Ｄ３０によって、表示中の設定操作画面に関連づけられている項目キーを含むようにキー配列５０における表示する部分を設定して応用項目についての項目選択画面を表示させる処理である。つまり、スクロール指示部２０２は、ユーザーが設定したいと考える応用項目を関連情報Ｄ３０に基づいて推定し、その所望の応用項目を選択するための項目キーが自動的に表示されるように画面表示を制御する。これにより、ユーザーは所望の項目キーがキー配列５０のどこに位置していてもスクロール操作をすることなく当該項目キーを選択することができる。
【００３９】
関連情報Ｄ３０はユーザーにとってより好ましい関連づけを示すように情報管理部２０５によって随時に更新される。情報管理部２０５は、記録部２０４によって記録される操作の履歴を参照し、各基本項目についてそれと組み合わせて設定される回数がより多い応用項目を優先的に関連づける。一般企業のオフィスでの使用のようにＭＦＰ１が複数のユーザーによって共用される場合に、ユーザー認証によって識別したユーザーごとに関連情報Ｄ３０を作成してもよいし、ユーザーの所属する部署ごとに作成してもよい。ユーザー間に使用傾向の大きな差異がなければ、ユーザーを区別せずに全ユーザーに共通に関連情報Ｄ３０を適用してもよい。関連情報Ｄ３０を更新する周期、時期、関連する応用項目の選定のアルゴリズムなどはＭＦＰ１の使用環境に応じて選定することができる。
【００４０】
以下、コピー動作の操作を想定してＭＦＰ１の画面表示制御の具体例を挙げる。
【実施例１】
【００４１】
図７は実施例１の画面表示制御に関わる関連テーブルＴ１の内容の一例を示す。関連テーブルＴ１は、上述の関連情報Ｄ３０としてＮＶ−ＲＡＭ１１６またはストレージ１９によって記憶される。関連テーブルＴ１において、複数の基本項目のそれぞれについて一つまたは二つの応用項目が関連づけられている。例示では一つの基本項目に対して最大二つの応用項目が関連づけられているが、関連する応用項目が三つ以上であれば、それら全てを関連づけてもよい。関連づけにおいて優先順位が決められる。例えば、基本項目「原稿画質」に対する関連づけでは、応用項目「文字表現」の優先順位が第１位であり、応用項目「光沢コピー」の優先順位が第２位である。上述のスクロール指示部２０３によって指示される表示処理では、優先順位が第１位である応用項目に対応した項目キーが表示されるようにスクロール位置が決められる。ただし、優先順位は、情報管理部２０５が行う関連テーブルＴ１の更新によって入れ替わることがある。
【００４２】
図７の例の関連テーブルＴ１では、総数１０個の基本項目のうちの８個について応用項目が関連づけられ、残りの２個の基本項目については応用項目が関連づけられていない。言い換えれば、２個の基本項目には関連する応用項目がない。しかし、本実施形態では、関連する応用項目が関連テーブルＴ１にない場合は、自動的にスクロール位置を決める際に初期位置が選択されるので、実質上は当該２個の基本項目について初期位置の応用項目が関連づけられていることになる。
【００４３】
図８（Ａ）〜（Ｃ）および図９（Ａ）〜（Ｃ）は画面遷移の一例を示す。ここでは、状況の例として、ユーザーが複数枚の原稿シートについて全ページに日付を付加してコピーしたいと考え、そのための設定をしようとする状況を想定する。初期設定（デフォルト）では付加情報の印字は「しない」であるので、ユーザーはまず付加情報の印字を「する」にするための設定項目を探す。例えば、図８（Ａ）に示される項目選択画面Ｑ３５が表示された状態で探し始めるとする。図８（Ａ）の項目選択画面Ｑ３５は図４で説明してコピー初期画面である。
【００４４】
図８（Ａ）の項目選択画面Ｑ３５において、基本１項目の項目キー（機能バッジ）５１〜５５の中には日付の印字に該当しそうなものがないと判断したユーザーが、項目グループキー３６を選択すると（図中の破線の楕円はタッチ操作の対象を表す）、図８（Ａ）の項目選択画面Ｑ３５から図８（Ｂ）の項目選択画面Ｑ３６へ表示が切り替わる。項目選択画面Ｑ３６は基本２項目を選択するための五つの項目キー５６〜６０を有する。
【００４５】
図８（Ｂ）の項目選択画面Ｑ３６において、基本２項目の一つの「スタンプ」が付加情報の印字に該当すると判断したユーザーが、基本２項目「スタンプ」に対応する項目キー５６を選択すると、図８（Ｂ）の項目選択画面Ｑ３６から図８（Ｃ）の設定操作画面Ｑ５６へ表示が切り替わる。ところが、例示の設定操作画面Ｑ５６は、ページ番号を印字する場合の様式を設定するための画面であって、日付の様式を設定するための画面ではない。このことを理解したユーザーは、設定操作画面Ｑ５６の表示を終了させるため、可変表示領域３０に配置されている「戻る」キー５６１を押下する。
【００４６】
図９（Ａ）は図８（Ｃ）と同じ表示状態を示す。ユーザーが「戻る」キー５６１を押下すると、図９（Ａ）の設定操作画面Ｑ５６から図９（Ｂ）の項目選択画面Ｑ３６へ表示が切り替わる。すなわち、設定操作画面Ｑ５６を表示する前の表示状態に戻る。
【００４７】
図９（Ｂ）の項目選択画面Ｑ３６において、設定項目の探索を続けようとするユーザーが、応用項目の項目選択画面を表示させるために項目グループキー３７を選択する。そうすると、この操作に呼応してスクロール指示部２０３とスクロール表示処理部２２３とが連携する上述の表示処理が行われる。すなわち、図７の管理テーブルＴ１が参照され、設定が変更されないまま表示が終了した設定操作画面Ｑ５６に対応する基本項目「スタンプ」に関連づけられている応用項目のうち、最も優先順位の高い「日付」が注目される。そして、応用項目「日付」に対応した項目キーを表示するようにスクロール位置が自動設定される。その結果、図９（Ｂ）の項目選択画面Ｑ３６に代えて図９（Ｃ）の応用項目の項目選択画面Ｑ３７ｂが表示される。項目選択画面Ｑ３７ｂは応用項目「日付」に対応した項目キー８０を有する。
【００４８】
図９（Ｃ）のとおり、項目選択画面Ｑ３７ｂにおいて表示される計５個の項目キー８０〜８４は、キー配列５０の右端近くの部分に対応する。これに対して、図５の項目選択画面Ｑ３７ｂではキー配列５０の左端部分が表示される。ここで仮に、項目グループキー３７の操作に応答する表示切替えに際して常にスクロール位置を初期位置に決めるとすると、項目選択画面Ｑ３７ｂではなく図５の項目選択画面Ｑ３７ｂへ表示が切り替わることになる。そうなると、ユーザーは所望の応用項目「日付」に対応した項目キー８０を表示させるために、キー配列５０における表示される部分を左端部分から右端付近の部分まで移動させるスクロール操作を行わなければならない。本実施例１によれば、このようなスクロール操作の手間を無くすことができる。
【００４９】
図１０のフローチャートは実施例１の画面表示制御の流れを示す。第１表示処理部２２１が基本項目の項目選択画面Ｑ３５，Ｑ３６をディスプレイ１０１Ａに表示させる（Ｓ１０）。項目選択画面Ｑ３５における項目キー５１〜５５のタッチ操作または項目選択画面Ｑ３６における項目キー５６〜６０のタッチ操作によって基本項目のいずれかが選択されると（Ｓ１２でＹＥＳ）、選択された基本項目の設定のための設定操作画面を第２表示処理部２２２がディスプレイ１０１Ａに表示させる（Ｓ１４）。表示された設定操作画面において設定を変更する操作が行われると（Ｓ１６でＹＥＳ）、入力処理部２０１が変更後の設定をジョブ実行に反映させる有効設定として保持する（Ｓ１８）。設定の変更には、原稿画質（文字、写真）や用紙サイズの指定のような各種指定の切替え、濃度やカラーバランスのような制御変数の調整、およびスタンプ印字のする／しないを選ぶような付加動作のＯＮ／ＯＦＦの切替えが含まれる。
【００５０】
基本項目についての設定が変更された後で、応用グループを選ぶ項目グループキー３７が操作されると（Ｓ２０でＹＥＳ）、スクロール表示処理部２２３がスクロール位置を初期位置に設定して応用項目の項目選択画面Ｑ３７をディスプレイ１０１Ａに表示させる（Ｓ２２、Ｓ２４）。
【００５１】
一方、ステップＳ１４で基本項目の設定操作画面が表示されると、スクロール指示部２０３が操作の監視を始めるとともに、表示中の設定操作画面に対応する基本項目に対して応用項目が関連テーブルＴ１によって関連づけられているかどうかをチェックする（Ｓ２６）。注目する基本項目に関連する応用項目がなければ、スクロール位置を初期位置に設定するので、流れはステップＳ２０へ進む。注目する基本項目に関連する応用項目があり、かつ基本項目についての設定が変更されないまま、応用グループを選ぶ項目グループキー３７が操作されると（Ｓ２６およびＳ２８でＹＥＳ）、流れはステップＳ３０へ進む。ステップＳ３０において、スクロール指示部２０３から指示を受けたスクロール表示処理部２２３が、注目する基本項目に関連する応用項目に対応した項目キーが表示されるようにスクロール位置を自動設定する。そして、スクロール表示処理部２２３は、応用項目の項目選択画面をディスプレイ１０１Ａに表示させる（Ｓ３２）。関連テーブルＴ１において初期位置に対応する応用項目が関連づけられている場合、ステップＳ３２においてもステップＳ２４と同様にスクロール位置が初期位置である項目選択画面Ｑ３７が表示される。
【実施例２】
【００５２】
実施例２では、実施例１と同様に関連テーブルＴ１を参照してスクロール位置を自動設定するとともに、関連テーブルＴ１とは別途に各基本項目と応用項目とを関連づける関連テーブルに基づいてスクロール位置が自動設定される。
【００５３】
図１１は実施例２の画面表示制御に関わる関連テーブルＴ２の内容の一例を示す。関連テーブルＴ２では、各基本項目に対して、その設定に続いて設定しなければならないか設定されることが多い応用項目が示される。関連テーブルＴ２に基づくスクロール位置の自動設定は、基本項目および応用項目の双方が関係する一連の設定をするユーザーを支援するために行われる。
【００５４】
関連テーブルＴ２は、上述の関連テーブルＴ１とともに関連情報Ｄ３０としてＮＶ−ＲＡＭ１１６またはストレージ１９によって記憶される。関連テーブルＴ２において、複数の基本項目のそれぞれについて一つまたは二つの応用項目が関連づけられている。例示では一つの基本項目に対して最大二つの応用項目が関連づけられているが、関連する応用項目が三つ以上であれば、それら全てを関連づけてもよい。関連づけにおいて優先順位が決められる。例えば、基本項目「スタンプ」に対する関連づけでは、応用項目「ウォーターマーク」の優先順位が第１位であり、応用項目「ヘッダーフッター」の優先順位が第２位である。上述のスクロール指示部２０３によって指示される表示処理では、優先順位が第１位である応用項目に対応した項目キーが表示されるようにスクロール位置が決められる。ただし、優先順位は、情報管理部２０５が行う関連テーブルＴ２の更新によって入れ替わることがある。
【００５５】
図１２（Ａ）および（Ｂ）は実施例２の画面遷移の一例を示す。ここでは、状況の例として、ユーザーが複数の章で構成された文章を印刷した複数枚の原稿シートをコピーして小冊子を作成し、その際に章ごとにインターシートを挿入したいと考え、そのための設定をしようとする状況を想定する。
【００５６】
小冊子について図示しない設定操作画面において綴じの方向を選ぶといった所望の設定をした後、設定操作画面から図１２（Ａ）の項目選択画面Ｑ３６へ表示を戻したユーザーが、応用項目「インターシート」の設定をするために項目グループキー３７によって応用グループを選択する。そうすると、スクロール表示処理部２２３が図１１の関連テーブルＴ２を参照し、基本項目「小冊子」に関連づけられている応用項目のうちで最も優先順位の高い「カバーシート」に対応した項目キーを表示するようにスクロール位置を自動設定する。このとき、項目の属性情報によって「カバーシート」「差込ページ」「インターシート」および「章分け」が応用項目の分類において同じグループに属していることから、これら四つの応用項目に対応した項目キーが同時を表示するスクロール位置が設定される。その結果、図１２（Ａ）の項目選択画面Ｑ３６に代えて図１２（Ｂ）の応用項目の項目選択画面Ｑ３７ｃが表示される。項目選択画面Ｑ３７ｃでは、「インターシート」に対応した項目キー７８を含む５個の項目キー７６〜８０がスクロール領域としての可変表示領域３０に配置される。
【００５７】
図１３のフローチャートは実施例２の画面表示制御の流れを示す。図１３の流れには、図１０の実施例１の流れにはないステップＳ１９が含まれている。その点を除けば、図１３の流れは図１０の流れと基本的に同様である。
【００５８】
実施例２においても、第１表示処理部２２１が基本項目の項目選択画面Ｑ３５，Ｑ３６をディスプレイ１０１Ａに表示させる（Ｓ１０）。項目選択画面Ｑ３５における項目キー５１〜５５のタッチ操作または項目選択画面Ｑ３６における項目キー５６〜６０のタッチ操作によって基本項目のいずれかが選択されると（Ｓ１２でＹＥＳ）、選択された基本項目の設定のための設定操作画面を第２表示処理部２２２がディスプレイ１０１Ａに表示させる（Ｓ１４）。表示された設定操作画面において設定を変更する操作が行われると（Ｓ１６でＹＥＳ）、入力処理部２０１が変更後の設定をジョブ実行に反映させる有効設定として保持する（Ｓ１８）。設定操作画面の表示中、スクロール指示部２０３が設定操作画面に対応する基本項目に対して応用項目が関連テーブルＴ２によって関連づけられているかどうかをチェックする（Ｓ１９）。注目する基本項目に関連する応用項目がなければ、スクロール位置を初期位置に設定するので、流れはステップＳ２０へ進む。注目する基本項目に関連する応用項目があれば、スクロール位置を初期位置に設定するので、流れはステップＳ２８へ進む。
【００５９】
ステップＳ２０において、応用グループを選ぶ項目グループキー３７が操作されると（Ｓ２０でＹＥＳ）、スクロール表示処理部２２３がスクロール位置を初期位置に設定して応用項目の項目選択画面Ｑ３７をディスプレイ１０１Ａに表示させる（Ｓ２２、Ｓ２４）。
【００６０】
一方、ステップＳ１４で基本項目の設定操作画面が表示されると、スクロール指示部２０３が操作の監視を始めるとともに、表示中の設定操作画面に対応する基本項目に対して応用項目が関連テーブルＴ１によって関連づけられているかどうかをチェックする（Ｓ２６）。注目する基本項目に関連する応用項目がなければ、スクロール位置を初期位置に設定するので、流れはステップＳ２０へ進む。注目する基本項目に関連する応用項目があり、かつ基本項目についての設定が変更されないまま、応用グループを選ぶ項目グループキー３７が操作されると（Ｓ２６およびＳ２８でＹＥＳ）、流れはステップＳ３０ｂへ進む。ステップＳ３０ｂにおいて、スクロール指示部２０３から指示を受けたスクロール表示処理部２２３が、関連テーブルＴ１または関連テーブルＴ２において注目する基本項目に関連する応用項目に対応した項目キーが表示されるようにスクロール位置を自動設定する。このとき、ステップＳ１６でのチェックでＹＥＳであった場合は関連テーブルＴ１が参照され、ステップＳ１６でのチェックでＮＯであった場合は関連テーブルＴ２が参照される。そして、スクロール表示処理部２２３は、応用項目の項目選択画面をディスプレイ１０１Ａに表示させる（Ｓ３２）。
【実施例３】
【００６１】
実施例３では、関連情報Ｄ３０に基づくスクロール位置の自動設定とは別に、操作の履歴情報Ｄ４０に基づいて、ユーザーが表示させたいであろう応用項目の項目キーを自動的に表示させる制御が行われる。
【００６２】
図１４（Ａ）、（Ｂ）および図１５（Ａ）〜（Ｃ）は画面遷移の一例を示す。ここでは、ユーザーがカラー印刷をする章とモノクロ印刷をする章が混在するコピーを一つのジョブとしてまとめて行ないたいと考え、そのための設定をしようとする状況を想定する。初期設定（デフォルト）ではページごとのグループ分けを「する」となっているものとする。
【００６３】
例えば、ユーザーがまず図１４（Ａ）に示される応用項目「プログラムジョブ」の項目キー８６を有する項目選択画面Ｑ３７ｄを表示させ、項目キー８６を選択するタッチ操作を行う。そうすると、ＭＦＰ１では、ページごとのグループ分けとプログラムジョブとの組合せ設定が禁止されているので、案内表示部２２５が図１４（Ａ）の項目選択画面Ｑ３７ｄに代えて図１４（Ｂ）の操作案内画面Ｑ３７ｅをディスプレイに表示させる。操作案内画面Ｑ３７ｅは、プログラムジョブの設定操作が禁止されている旨のメッセージ文を表示するウィンドウＷ８６を有する。操作案内画面Ｑ３７ｅは、項目選択画面Ｑ３７ｄにおいてウィンドウＷ８６をポップアップ表示させた画面に相当する。
【００６４】
図１５（Ａ）は図１４（Ｂ）と同じ表示状態を示す。ウィンドウＷ８６のメッセージ文を見たユーザーが、禁止状態を解除させる操作をするために画面の切替えを指示し、グループ分けの設定を変更する。そして、改めて「プログラムジョブ」の設定をするために、例えば図１５（Ｂ）の項目選択画面Ｑ３６において応用グループの項目グループキー３７を選択する。そうすると、スクロール指示部２０３がスクロール表示処理部２２３にスクロール位置の自動設定を指示する。スクロール表示処理部２２３は、組合せ設定が禁止されていた「プログラムジョブ」に対応する項目キー８６を含むようにスクロール位置を自動設定し、図１５（Ｃ）の項目選択画面Ｑ３７ｄをディスプレイに表示させる。項目選択画面Ｑ３７ｄでは、「プログラムジョブ」に対応した項目キー８６を含む５個の項目キー８２〜８６がスクロール領域としての可変表示領域３０に配置される。
【実施例４】
【００６５】
実施例４では、スクロール指示部２０３からの指示を受けてスクロール表示処理部２２３が応用項目の項目選択画面を表示する際に、スクロール表示が行われる。
【００６６】
図１６（Ａ）〜（Ｃ）は画面遷移の一例を示す。上述の図９（Ｂ）、（Ｃ）の例では基本項目の項目選択画面Ｑ３６から応用項目の項目選択画面Ｑ３７ｂへ直ぐに表示が切り替わる。これに対して、実施例４では、基本項目の項目選択画面Ｑ３６から一旦スクロール位置を初期位置とした項目選択画面Ｑ３７へ表示が切り替わり、その後に直ちに自動スクロールが始まり、項目選択画面Ｑ３７から項目選択画面Ｑ３７ｂへ表示が移り変わって見えるスクロール表示が行われる。
【実施例５】
【００６７】
実施例５では、基本項目の設定操作画面において設定を変更する操作が行われないまま、設定操作画面から基本項目の項目選択画面へ表示を戻す操作が行われたときに、他の設定項目を探しているかどうかをユーザーに問うメッセージ表示部２２４がメッセージ画面を表示させる。
【００６８】
図１７（Ａ）〜（Ｃ）は画面遷移の一例を示す。上述の図９（Ａ）、（Ｂ）の例では基本項目の設定操作画面Ｑ５６において「戻る」キー５６１が操作されたときに、指示に従って直ちに項目選択画面Ｑ３６へ表示が戻された。実施例５では、図１７（Ａ）、（Ｂ）のように、「戻る」キー５６１の操作に呼応してメッセージ画面Ｑ５６ｂが表示される。メッセージ画面Ｑ５６ｂは、設定操作画面Ｑ５６に対応する基本項目「スタンプ」に関連する他の設定項目を探しているかどうかをユーザーに問うメッセージ文を表示するウィンドウＷ５６１を有する。メッセージ画面Ｑ５６ｂは、設定操作画面Ｑ５６においてウィンドウＷ５６１をポップアップ表示させた画面に相当する。
【００６９】
ユーザーがウィンドウＷ５６１に配置されている「いいえ」キー５６１２を操作すると、以前の「戻る」キー５６１の操作による指示に従って、項目選択画面Ｑ３６へ表示が戻される。
【００７０】
一方、ユーザーが他の設定項目を探している旨を示す操作として、ウィンドウＷ５６１に配置されている「はい」キー５６１０を操作すると、図７の管理テーブルＴ１が参照され、設定が変更されないまま表示が終了した設定操作画面Ｑ５６に対応する基本項目「スタンプ」に関連づけられている応用項目のうち、最も優先順位の高い「日付」が注目される。そして、応用項目「日付」に対応した項目キーを表示するようにスクロール位置が自動設定され、図１７（Ｂ）のメッセージ画面Ｑ５６ｂに代えて図１７（Ｃ）の応用項目の項目選択画面Ｑ３７ｂが表示される。
【００７１】
実施例５の他にも実施例１の変形例として図１８のように画面を遷移させる画面表示制御がある。図１８（Ａ）の基本項目の項目選択画面Ｑ３６において例えば項目キー５６が選択されると、図１８（Ｂ）の設定操作画面Ｑ５６が表示される。この画面遷移は図８（Ｂ）、（Ｃ）の遷移と同じである。設定操作画面Ｑ５６において設定を変更する操作が行われないまま、設定操作画面Ｑ３６から基本項目の項目選択画面Ｑ３６へ表示を戻す操作が行われたときに、図９の実施例１とは違って項目選択画面Ｑ３６へ表示を戻さず、また図１７の実施例５とは違ってメッセージ画面Ｑ５６ｂを表示せず、図１８の例では応用項目の項目選択画面Ｑ３７ｂが表示される。項目選択画面Ｑ３７ｂは実施例１と同様に関連テーブルＴ１によって設定操作画面Ｑ５６に関連づけられている「日付」の項目キー８０を有するようにスクロール位置が自動設定された画面である。
【００７２】
以上の実施形態において、応用項目の項目選択画面で選択された項目の設定操作画面において、組合せ設定が禁止されている設定が行われようとし、禁止状態であることのメッセージ表示を見てユーザーが設定の禁止を解除する操作を行ったとき、応用項目の項目選択画面の表示を省略し、以前に禁止されている設定が行われようとした元の応用項目の設定操作画面へ表示を自動的に戻すことができる。
【００７３】
上述の実施形態において、キー配列５０のキーの配列順序は適宜選定することができる。例えば、組み合わせて設定されることの多い項目どうしをグループにまとめ、設定の頻度の高い順にグループを例えば左から右へ並べることができる。この場合、左端をスクロールの初期位置とすることにより、選択頻度の高い項目キーが表示され易くなる。
【００７４】
関連テーブルＴ１，Ｔ２の内容は画像形成装置に搭載する機能の種類に応じて適宜選定することができる。
【００７５】
例に挙げたＭＦＰ１以外の画像形成装置に本発明を適用することができる。また、操作キーの押下に応答してスクロール表示画面を表示する各種情報機器のＵＩに本発明を応用することができる。表示面内の位置を指定する操作手段はタッチパネルに限らず、カーソルを表示するディスプレイとカーソルを移動させるマウスや他のポインティングデバイスとの組み合わせでもよい。
【符号の説明】
【００７６】
１    ＭＦＰ（画像形成装置）
５１〜６０    基本項目の項目キー（第１項目キー）
Ｑ３５，Ｑ３６    第１の項目選択画面
１０    操作パネル
２２１    第１表示処理部
Ｑ５６    設定操作画面
２２２    第２表示処理部
６１〜６６，７５〜８６    応用項目の項目キー（第２項目キー）
５０    キー配列
Ｑ３７，Ｑ３７ｂ〜ｄ    第２の項目選択画面
２２３    スクロール表示処理部
Ｔ１    関連テーブル（第１情報）
Ｔ２    関連テーブル（第２情報）
２０３    スクロール指示部
２２４    メッセージ表示部
Ｑ５６ｂ    メッセージ画面
Ｑ３７ｅ      ２２５    案内表示部
Ｑ３７ｅ    操作案内画面
２０４    記録部
２０５    情報管理部
【図１】
0005459177.tif 000002
【図２】
0005459177.tif 000003
【図３】
0005459177.tif 000004
【図４】
0005459177.tif 000005
【図５】
0005459177.tif 000006
【図６】
0005459177.tif 000007
【図７】
0005459177.tif 000008
【図８】
0005459177.tif 000009
【図９】
0005459177.tif 000010
【図１０】
0005459177.tif 000011
【図１１】
0005459177.tif 000012
【図１２】
0005459177.tif 000013
【図１３】
0005459177.tif 000014
【図１４】
0005459177.tif 000015
【図１５】
0005459177.tif 000016
【図１６】
0005459177.tif 000017
【図１７】
0005459177.tif 000018
【図１８】
0005459177.tif 000019